(57)【要約】【課題】発熱シートと紙からなる電子レンジ用のトレーにおいて、加熱による底部の反りを低減する。【解決手段】底部２及び側壁部３ａ，３ｂを有する紙製の本体と、底部２に貼付されたマイクロ波の照射によって発熱する発熱シート４と、を備えた電子レンジ用トレーにおいて、本体を１枚の紙を折り曲げて成形し、底部２の角部８の近傍に、該角部８を構成する底部２の一方の端辺６ａから他方の端辺６ａに至る直線状のスリット５ａを設ける。【選択図】図１
2013255716.tif 000002
【特許請求の範囲】
【請求項１】
多角形の底部及び側壁部とを有する紙製の本体と、前記底部に貼付されたマイクロ波の照射によって発熱する発熱シートと、を備えた電子レンジ用トレーであって、
前記本体が１枚の紙を折り曲げて成形されており、
前記本体が、前記底部の角部近傍において、前記角部を構成する前記底部の一方の端辺から他方の端辺に至る直線状のスリット、前記角部を構成する前記底部の二端辺に沿ったくの字形のスリット、或いは前記直線状のスリットと前記くの字形のスリットを併せ持った三角形状の切り抜き部、のいずれかを有することを特徴とする電子レンジ用トレー。
【請求項２】
前記底部の側壁部近傍に、前記底部の紙目に対して垂直な直線で形成されたエンボスを有する請求項１に記載の電子レンジ用トレー。
【請求項３】
前記底部の角部近傍に、格子状に形成されたエンボスを有する請求項２に記載の電子レンジ用トレー。
【発明の詳細な説明】
【技術分野】
【０００１】
本発明は、ピザや焼きおにぎりなどの食品を、半調理状態で収納して、電子レンジにて表面に焦げ目を付けながら加熱調理するためのトレーに関する。
【背景技術】
【０００２】
電子レンジは食品の加熱調理に用いられるが、マイクロ波の照射によって発熱する発熱シートを用いることにより、被加熱食品の表面に焦げ目を付けることができる。例えば、特許文献１には、紙や布などからなる一対の支持部の表面に電子レンジの電磁波によって発熱するアルミニウム箔等の金属膜を貼付し、係る金属膜が内側になるように被加熱食品を挟んで電子レンジで加熱することにより、食品の表面に焦げ目をつけて加熱調理することができる加熱補助部材が開示されている。
【０００３】
特許文献１に開示された加熱補助部材は、魚などの両面に焦げ目を付ける食品の加熱調理を対象としており、ピザなどの片面にのみ焦げ目を付ければよいような食品の場合、支持部をトレー状に成形し、トレーの底部表面に電子レンジの電磁波によって発熱する発熱シートを貼付することで、片面のみ焦げ目を付けることができる。
【０００４】
しかしながら、支持部として紙をトレー状に成形し、発熱シートを貼付したトレーを用いた場合、電子レンジの熱によって、トレーの水分が蒸発し、トレーの表裏で水分量が異なるようになるため、トレーの底部が紙目に沿って反りを生じ、被加熱食品の表面の焦げ目にムラを生じてしまい、加熱調理後の見栄えが悪くなってしまう。また、トレー自体もトレーの底部の反りが、トレーの壁部で吸収されなくなってしまうことによって、底部の対角線に沿って、反ってしまうため、見栄えが悪くなり、そのまま食事に供するには適さない。
【０００５】
特許文献２には、油で揚げた調理済み食品を電子レンジで加熱調理するための容器において、調理済み食品を収納する収納部の内面に複数の凹凸部を設けることで、容器の強度を向上した電子レンジ対応容器が開示されている。
【０００６】
しかしながら、特許文献２の容器は、合成樹脂シートを真空成形、圧空成形などにより、所定の形状に成形するため、手間がかかってしまい、係る容器を特許文献１の加熱補助部材の支持部として用いると、製造コストが高くなってしまう。
【先行技術文献】
【特許文献】
【０００７】
【特許文献１】特開２００８−２８９６９２号公報
【特許文献２】特開平１１−９１８３６号公報
【発明の概要】
【発明が解決しようとする課題】
【０００８】
本発明の課題は、被加熱食品を収納して電子レンジによって焦げ目を付けながら加熱調理が可能な、発熱シートと紙からなる安価なトレーにおいて、加熱による底部の反りが低減し、被加熱食品の表面にムラ無く焦げ目をつけると同時に、加熱調理後のトレーの見栄えが良く、そのまま食事に供することができるトレーを提供することにある。
【課題を解決するための手段】
【０００９】
本発明は、多角形の底部及び側壁部とを有する紙製の本体と、前記底部に貼付されたマイクロ波の照射によって発熱する発熱シートと、を備えた電子レンジ用トレーであって、
前記本体が１枚の紙を折り曲げて成形されており、
前記本体が、前記底部の角部近傍において、前記角部を構成する前記底部の一方の端辺から他方の端辺に至る直線状のスリット、前記角部を構成する前記底部の二端辺に沿ったくの字形のスリット、或いは前記直線状のスリットと前記くの字形のスリットを併せ持った三角形状の切り抜き部、のいずれかを有することを特徴とする。
【００１０】
本発明においては、以下の構成を好ましい態様として含む。
前記底部の側壁部近傍に、前記底部の紙目に対して垂直な直線で形成されたエンボスを有する。特に、前記底部の角部近傍に、格子状に形成されたエンボスを有する。
【発明の効果】
【００１１】
本発明のトレーは、２００℃の高温にさらされても底部に反りが生じにくく、加熱後の見栄えがよい。よって、ピザ等の被加熱食品を半調理状態で収納し、電子レンジで加熱調理することにより、表面にムラ無く焼き目を付けることができる。また、加熱調理後のトレーの外観が良いため、加熱調理した食品をトレーに載せたままで食事に供することができる。さらに、本発明のトレーは紙と発熱シートのみで構成されており、材料のコストが低く、簡易な工程で製造することができるため、安価に提供することができる。
【図面の簡単な説明】
【００１２】
【図１】本発明のトレーの一実施形態の斜視図である。
【図２】図１の実施形態の展開図である。
【図３】本発明のトレーの他の実施形態の展開図である。
【図４】本発明のトレーの他の実施形態の展開図である。
【図５】本発明のトレーの他の実施形態の展開図である。
【図６】本発明のトレーの他の実施形態の斜視図である。
【図７】図６の実施形態の展開図である。
【発明を実施するための形態】
【００１３】
本発明は、底部と側壁部とを有する紙製の本体と、該本体の底部に貼付された発熱シートと、を備えた電子レンジ用トレーである。本発明の特徴は、本体が１枚の紙を折り曲げて成形されており、上記本体が、底部の角部近傍において、該角部を構成する底部の一方の端辺から他方の端辺に至る直線状のスリット、該角部を構成する底部の二端辺に沿ったくの字形のスリット、或いは上記直線状のスリットと上記くの字形のスリットとを併せ持った切り抜き部、のいずれかを有することにある。
【００１４】
以下、図面を参照して本発明について詳細に説明する。
【００１５】
図１は、本発明のトレーの好ましい実施形態の斜視図であり、図２は、図１のトレーの展開図である。図１，図２中、１は本発明のトレー、２は底部、３ａ，３ｂは側壁部、３ｃは差し込み部、４は発熱シート、５ａはスリット、６ａ，６ｂは折り曲げ部、８は角部である。また、７は後述する実施例において、荷重をかける位置を示す。
【００１６】
本発明のトレー１は、底部２と側壁部３ａ，３ｂとを有する紙製の本体と、底部２に貼付された発熱シート４からなり、本体は１枚の紙を破線で示す折り曲げ部６ａ，６ｂにおいて谷折に折り曲げて側壁部３ａ，３ｂを底部２から立ち上がらせ、後述する差し込み方式或いは貼付方式により、側壁部３ａと３ｂとを一体化してトレー状に成形する。
【００１７】
本発明において、本体を構成する紙はトレー状の形状を維持しうる程度の強度があれば、特に素材は限定されないが、好ましくは白板紙である。
【００１８】
また、本発明において用いられる発熱シート４は、電子レンジのマイクロ波の照射によって発熱するシートであって、具体的には、マイクロ波の照射によって誘電加熱する金属膜を備えたシート、好ましくは、アルミニウム、ニッケル、金、銀、亜鉛、白金などの金属をＰＥＴ（ポリエチレンテレフタレート）等の樹脂フィルムに蒸着させたシートに薄葉紙を貼り合わせたものである。係る発熱シート４は、底部２の表面に接着剤によって貼付される。
【００１９】
本体を構成する底部２は多角形であり、好ましくは四角以上八角以下の多角形、特に正多角形である。三角形であれば、対角線を有さないため底部の歪みがトレー全体の歪みとなることはない。また、八角を超える多角形でも、本発明の効果を奏するが、製造するに当たり複雑な製造工程を有することから、本発明においては八角以下の多角形が好ましい。
【００２０】
本実施形態において、本体には、底部２の角部８の近傍に、該角部８を構成する底部２の一方の端辺（折り曲げ部６ａ）から他方の端辺(折り曲げ部６ａ)に至る直線状のスリット５ａが設けられており、係るスリット５ａを各角部８の近傍に設けることによって、電子レンジで加熱調理した後でも、トレーの底部２に生じる反りが大幅に低減される。これは、トレーの底部２に生じる反りの力が、スリット５ａにより分断されて角部８に伝わらず、トレー全体の歪みに影響しないためである。スリット５ａの位置は、底部２の反りが低減される範囲で底部２の角部８に近い方が好ましく、また、スリット５ａと、底部２の二端辺とで形成される三角形は二等辺三角形になるように設けることが好ましい。
【００２１】
図１，図２の実施形態においては、底部２の角部８の近傍に直線状のスリット５ａを設けたが、本発明においては、底部２の角部８を構成する底部２の二端辺に沿ったくの字形のスリットを設けることでも、同様の効果が得られる。係るスリットを設けた実施形態のトレーの展開図を図３に示す。図３中、５ｂが係るスリットである。本実施形態に係るスリット５ｂの長さについては、例えば、底部２の一辺の長さが１５０ｍｍである場合、くの字を構成する二つの辺のそれぞれの長さが７ｍｍ程度であるが、トレーが壊れず、トレーに載せた食品が落下したり、トレーの外に飛び出す等の衛生上の問題が起こらない程度の長さであれば良い。尚、本発明においては、図１，図２におけるスリット５ａと、図３におけるスリット５ｂとを併せ持った図４に示す三角形状の切り抜き部５ｃとしても構わない。三角形状の切り抜きであっても、トレーの底部２に生じる反りの力を逃すことが可能であるためである。しかしながら、スリットであれば、トレーに載せた食品がスリットから落下する恐れもなく、また、トレー製造時にごみが生じないことから、図１，図２のスリット５ａや図３のスリット５ｂの方がより好ましい。尚、図３，図４の実施形態は、スリット５ｂ以外は図１，図２の実施形態と同じ構成であり、図１，図２と同じ部材、部位には同じ符号を付した。尚、紙を製造する際、抄紙機でパルプを一定方向に流しながら製造するため、紙の進行方向に繊維がそろう。この繊維がそろった方向のことを紙目と定義する。
【００２２】
尚、本発明のトレーは、一般家庭用の電子レンジでの使用を意図しており、前記電子レンジに収納可能な底部２の大きさ、具体的には、底部２が対角３０ｃｍ以内程度のトレーが対象となる。
【００２３】
本発明においては、トレー１の強度を向上させるために、底部２の側壁部３ａ，３ｂの近傍に、底部２の紙目に対して垂直な直線で形成されたエンボスを形成しても良い。図５に係るエンボスの一例を示す。図５は発熱シート４を除いた状態の展開図である。図５中、一点鎖線で示す部位がエンボス９，９’であり、図５に示すように、底部２の側壁部３ｂの近傍において、底部２の紙目に対して垂直な直線で形成されたエンボス９を形成することが好ましい。さらに、図５のように、エンボス９’も加えて、底部２の角部８の近傍に格子状のエンボスを形成することが好ましい。尚、図５において、エンボス９，９’を設けた以外は図１，図２の実施形態と同じ構成であり、図１，図２と同じ部材、部位には同じ符号を付した。
【００２４】
図１，図２の実施形態においては、側壁部３ａと３ｂとは、側壁部３ａに設けた差し込み部３ｃを側壁部３ｂに設けた切り欠き部３ｅに差し込んで互いに係合する、いわゆる差し込み方式により一体化している。より具体的には、本実施形態では、側壁部３ａがそれぞれ両端に差し込み部３ｃ，３ｃを備え、各差し込み部３ｃには、稲妻型の切り込み部３ｄが形成されている。一方、側壁部３ｂにおいては、両端部近傍に切り欠き部３ｅ，３ｅが形成されている。各差し込み部３ｃが対応する側壁部３ｂの端部に重なるように配置し、各切り欠き部３ｅに対応する差し込み部３ｃを差し込み、切り欠き部３ｅの、側壁部３ｂの端部側３ｅ’に、切り込み部３ｄの凸部３ｄ’を押し込むと、該凸部３ｄ’が返しとなって、図１に示すように、差し込み部３ｃの先端３ｃ’と切り込み部３ｄの凸部３ｄ’とが側壁部３ｂの内側に係合して、側壁部３ａと３ｂとが一体化し、トレー状の本体が形成される。
【００２５】
尚、図１，図２の実施形態においては、本体の側壁部３ａと３ｂとを一体化する方法として、差し込み方式を採ったが、本発明においては、接着剤を用いて貼付する、いわゆる貼付方式でも良い。その実施形態の斜視図を図６に、展開図を図７に示す。図６，図７に示すように、本実施形態では、一対の側壁３ａ，３ａの両端に貼付部３ｆ，３ｆが設けられている。本実施形態では、側壁部３ａの端部に設けた貼付部３ｆを、接着剤を介して側壁部３ｂの端部に貼り付けることにより、側壁部３ａと３ｂとを一体化する。尚、本実施形態は、側壁部３ａと３ｂとを貼付方式で一体化する以外は、図１，図２の実施形態と同じ構成であり、図１，図２と同じ部材、部位には同じ符号を付した。
【００２６】
本発明のトレーは、図２乃至図５，図７に示した展開図のように紙を裁断し、発熱シート４を底部２に接着剤で貼付した後、折り曲げ部６ａ，６ｂで折り曲げて側壁部３ａ，３ｂを立ち上げ、差し込み方式或いは貼付方式により側壁部３ａと３ｂとを一体化することで得られる。
【００２７】
本発明のトレーは、例えば、冷凍ピザなどの半調理食品を収納し、包装袋で密封包装して商品として提供することができ、係る商品の購入者が食する直前に包装袋を開封し、トレーに載せたまま電子レンジで加熱調理し、そのまま食事に供することができる。
【実施例】
【００２８】
三菱製紙株式会社製の「パールカード」（坪量：３１０ｇ／ｃｍ2）を用い、底部２が一辺が１５０ｍｍの正方形、側壁部３ａ，３ｂの高さが２９ｍｍのトレーを作製した。底部２には、図２のスリット５ａ、図３のスリット５ｂ、図４の切り抜き部５ｃのいずれかを設けた。スリット５ａは、底部２の角部８から底部２の端辺に沿って１５ｍｍの地点を結んだ直線とした。スリット５ｂは、底部２の角部８から１５ｍｍとした。切り抜き部５ｃについては、底部２の角部８から底部２の二端辺に沿ってそれぞれ１５ｍｍの二等辺三角形とした。次に、発熱シート４を、一辺が１３９ｍｍの正方形に切断し、底部２の中央に接着剤で貼付した。それぞれ、側壁部３ａと３ｂとの一体化方法として、差し込み方式と貼付方式の２種類を作製した。また、スリット５ａ、５ｂ、切り抜き部５ｃがない以外は上記と同じ構成のトレーを作製した。
【００２９】
各トレーに重さが１２０ｇで直径が１２０ｍｍ程度の冷凍ピザを収納し、５００Ｗの電子レンジで２分３０秒間、加熱調理した後、ピザを収納したまま、底部２の反りを測定した。反りの測定方法としては、平坦な板上にトレーを載せ、底部２の三つの角部８が係る板の表面に付くように、該角部８から側壁部３ａ、３ｂに沿って延長した開口端（図１の７）に荷重をかけ、残りの一つの底部２の角部８の浮いた高さを測定する。全ての底部２の角部８について、上記のように３つの角部８に荷重をかけて残りの一つの角部８の浮いた高さを測定し、最も大きい値をもって反りの高さとした。各トレーの反りの高さを表１に示す。
【００３０】
【表１】
2013255716.tif 000003
【００３１】
表１に示したように、本体にスリット５ａ、５ｂ、切り抜き部５ｃのいずれかを形成した本発明のトレーは、差し込み方式、貼付方式のいずれにおいても、底部２の反りが解消されていた。
【符号の説明】
【００３２】
１：トレー、２：底部、３ａ，３ｂ：側壁部、３ｃ：差し込み部、３ｃ’：差し込み部の先端、３ｄ：切り込み部、３ｄ’：切り込み部の凸部、３ｅ：切り欠き部、３ｆ：貼付部、４：発熱シート、５ａ，５ｂ：スリット、５ｃ：切り抜き部、６ａ，６ｂ：折り曲げ部、７：荷重をかける位置、８：角部、９：エンボス
【図１】
2013255716.tif 000004
【図２】
2013255716.tif 000005
【図３】
2013255716.tif 000006
【図４】
2013255716.tif 000007
【図５】
2013255716.tif 000008
【図６】
2013255716.tif 000009
【図７】
2013255716.tif 000010